(57)【要約】【課題】毛髪に結び目を作ることなくネットに植毛することができ、植毛した毛髪の根元を自然な外観にすることが可能なかつら及びかつらの製造方法を提供する。【解決手段】装着者の頭部に装着されるかつらベース２と、かつらベース２に植毛される人工毛又は人毛からなる毛髪３とを備えたかつら１であって、かつらベース２は、人工又は天然素材からなる糸状部材１１、１１、１１…を格子状に交差させたネット１０を含み、ネット１０の糸状部材１１に結び目１２を作って毛髪３を保持した構成としてある。【選択図】図２
2014077208.tif 000002
【特許請求の範囲】
【請求項１】
装着者の頭部に装着されるかつらベースと、前記かつらベースに植毛される人工毛又は人毛からなる毛髪とを備えたかつらであって、
前記かつらベースは、人工又は天然素材からなる糸状部材を交差状又は略平行に配したネットを含み、前記ネットの糸状部材に結び目を作って前記毛髪を保持したことを特徴とするかつら。
【請求項２】
前記ネットの糸状部材の結び目が、
略環状の曲げ部と、
前記毛髪に巻き付き、前記曲げ部を通って互いに反対方向に延びる２つの保持部と、
からなる請求項１に記載のかつら。
【請求項３】
前記ネットが、複数本の糸状部材を撚ったマルチフィラメントからなり、該マルチフィラメントを形成する１本の糸状部材に結び目を作って前記毛髪を保持した請求項１又は２に記載のかつら。
【請求項４】
前記ネットの糸状部材を、前記毛髪よりも柔軟にした請求項１〜３のいずれか１項に記載のかつら。
【請求項５】
前記ネットの糸状部材の直径を、前記毛髪の直径よりも小さくした請求項１〜４のいずれか１項に記載のかつら。
【請求項６】
前記ネットの糸状部材の結び目を接着剤で固定した請求項１〜５のいずれか１項に記載のかつら。
【請求項７】
前記毛髪を保持した前記ネットの形状を整形剤で整えた請求項１〜６のいずれか１項に記載のかつら。
【請求項８】
装着者の頭部に装着されるかつらベースと、前記かつらベースに植毛される人工毛又は人毛からなる毛髪とを備えたかつらの製造方法であって、
前記かつらベースは、人工又は天然素材からなる糸状部材を交差状又は略平行に配したネットを含み、前記ネットの糸状部材に結び目を作って前記毛髪を保持したことを特徴とするかつらの製造方法。
【請求項９】
前記毛髪を略Ｖ字ないし略Ｕ字に曲げ、２つの自由端の反対側に略環状の曲げ部を形成する工程と、
前記毛髪の曲げ部を、前記ネットの一の網目に挿通し、一の糸状部材の下側を通して、隣り合う他の網目から引き出す工程と、
他の網目から引き出した前記毛髪の曲げ部に、該毛髪の２つの自由端側を通して、前記ネットの一の糸状部材に前記毛髪を巻き付ける工程と、
前記曲げ部に通した前記毛髪の２つの自由端側を互いに反対方向に引っ張り、前記曲げ部を消失させることで、前記ネットの一の糸状部材に結び目を作り、前記毛髪を保持する工程と、
を含む請求項８に記載のかつらの製造方法。
【請求項１０】
前記ネットの一の糸状部材に結び目を作って前記毛髪を保持した後、前記結び目を接着剤で固定する工程を含む、請求項８又は９に記載のかつらの製造方法。
【請求項１１】
前記ネットの一の糸状部材に結び目を作って前記毛髪を保持した後、前記ネットの形状を整形剤で整える工程を含む、請求項８〜１０のいずれか１項に記載のかつらの製造方法。
【発明の詳細な説明】
【技術分野】
【０００１】
本発明は、かつらベースのネットに毛髪を植毛した構成のかつら及びかつらの製造方法に関し、特に、毛髪に結び目を作ることなくネットに植毛することができ、植毛した毛髪の根元を自然な外観にすることが可能なかつら及びかつらの製造方法に関する。
【背景技術】
【０００２】
一般的なかつらは、ネット又は人工皮膚からなるかつらベースに、人工毛又は人毛からなる毛髪を植毛した構成となっている。従来の毛髪の植毛方法としては、例えば、図１０（ａ）〜（ｄ）に示すようなものがあった。
【０００３】
図１０（ａ）は、いわゆる「Ｖ植毛」と呼ばれる植毛方法を示す概略図である。同図において、このＶ植毛では、合成樹脂からなる人工皮膚（かつらベース）に、毛髪を略Ｖ字状に植毛していた。
【０００４】
図１０（ｂ）は、いわゆる「シングルノット植毛」と呼ばれる植毛方法を示す概略図である。また、同図（ｃ）は、いわゆる「ハーフシングルノット植毛」と呼ばれる植毛方法を示す概略図である。同図（ｂ）において、シングルノット植毛では、まず、毛髪を、前記毛髪の略Ｖ字ないし略Ｕ字に曲げ、２つの自由端の反対側に略環状の曲げ部を形成する。次いで、この毛髪の曲げ部側を、合成繊維又は天然繊維で編んだネット（かつらベース）の網目に挿通する。その後、毛髪の２つの自由端側を曲げ部に通すことで、この毛髪をネットに結び付けていた。一方、同図（ｃ）において、ハーフシングルノット植毛は、毛髪の１つの自由端側を曲げ部に通すことで、この毛髪をネットに結び付けていた。
【０００５】
図１０（ｄ）は、いわゆる「引き抜き植毛」と呼ばれる植毛方法を示す概略図である。同図において、この引き抜き植毛では、かつらベースがネットと人工皮膚との２枚重ねになっており、下側の目の粗いネットに毛髪を結び付けた後、上側の人工皮膚から毛髪の自由端側を引き抜いていた。
【先行技術文献】
【特許文献】
【０００６】
【特許文献１】特開平９−２６８４１２号公報
【特許文献２】実公平５−１９２８９号公報
【発明の概要】
【発明が解決しようとする課題】
【０００７】
ところが、上述した図１０（ｂ）、（ｃ）のシングルノット植毛及びハーフシングルノット植毛では、毛髪をネットに結び付けていたため、毛髪の根元に結び目の塊ができてしまい、かつらの外観が不自然になってしまう問題があった。特に、黒や茶といった暗色の毛髪の結び目は暗色の塊となり、頭皮を模した明るい肌色のネット上で目立ってしまう。
【０００８】
また、上述した図１０（ａ）、（ｄ）のＶ植毛及び引き抜き植毛では、毛髪の結び目がない又は視認できず、上記のような問題は生じない。しかし、Ｖ植毛は、人工皮膚に植毛した毛髪が抜けやすいという問題がある。一方、引き抜き植毛は、毛髪の結び目を隠すための人工皮膚が必要である。さらに、下側のネットに結び付けた毛髪を、上側の人工皮膚の所定位置から引き出す作業は、職人の熟練した技術を要する。
【０００９】
本発明は、上記問題点に鑑みてなされたものであり、毛髪に結び目を作ることなくネットに植毛することができ、植毛した毛髪の根元を自然な外観にすることが可能なかつら及びかつらの製造方法の提供を目的とする。
【課題を解決するための手段】
【００１０】
上記目的を達成するため、本発明のかつらは、装着者の頭部に装着されるかつらベースと、前記かつらベースに植毛される人工毛又は人毛からなる毛髪とを備えたかつらであって、前記かつらベースは、人工又は天然素材からなる糸状部材を交差状又は略平行に配したネットを含み、前記ネットの糸状部材に結び目を作って前記毛髪を保持した構成としてある。
【００１１】
上記構成によれば、毛髪が結び目を作らずに、ネットの糸状部材が結び目を作って毛髪を保持するので、毛髪の根元を自然な外観にすることができる。特に、ネットが肌色などの明色である場合は、糸状部材の結び目が目立たず、１つの毛穴から２本の毛髪が生えているような自然な外観となる。
【００１２】
また、ネットの糸状部材が結び目を作って毛髪を保持するので、植毛した毛髪が糸状部材に沿って動いてしまうことがない。さらに、糸状部材の結び目が、毛髪の根元を立ち上がらせ、毛髪に自然なボリューム感を与えることができる。
【００１３】
好ましくは、前記ネットの糸状部材の結び目が、略環状の曲げ部と、前記毛髪に巻き付き、前記曲げ部を通って互いに反対方向に延びる２つの保持部と、からなる構成にするとよい。
【００１４】
上記構成によれば、ネットの糸状部材により形成される略環状の曲げ部と、これを通る２つの保持部とが巻き付いて、毛髪をしっかりと保持することができ、毛髪の根元を自然な外観にすることが可能となる。
【００１５】
好ましくは、前記ネットが、複数本の糸状部材を撚ったマルチフィラメントからなり、該マルチフィラメントを形成する１本の糸状部材に結び目を作って前記毛髪を保持した構成にするとよい。
【００１６】
上記構成によれば、ネットが太いマルチフィラメントからなる場合でも、このマルチフィラメントを形成する１本の糸状部材に結び目を作って毛髪を保持することができ、毛髪の根元を自然な外観にすることが可能となる。
【００１７】
好ましくは、前記ネットの糸状部材を、前記毛髪よりも柔軟にした構成にするとよい。このような構成とした場合は、柔軟な糸状部材で結び目を作りやすくなり、植毛の作業効率を向上させることが可能となる。
【００１８】
好ましくは、前記ネットの糸状部材の直径を、前記毛髪の直径よりも小さくした構成にするとよい。このような構成とした場合は、ネットの糸状部材の結び目をより目立たなくすることができる。また、上記と同様に、直径が小さいほど、糸状部材が柔軟となって結び目を作りやすくなり、植毛の作業効率を向上させることが可能となる。
【００１９】
好ましくは、前記ネットの糸状部材の結び目を接着剤で固定した構成にするとよい。このような構成によれば、ネットの糸状部材に結び目を作って保持した毛髪を、接着剤でより強固に固定することができ、植毛した毛髪の脱落を防止することが可能となる。
【００２０】
好ましくは、前記毛髪を保持した前記ネットの形状を整形剤で整えた構成にするとよい。このような構成によれば、糸状部材が結び目を作ることによって、ネットに縮みが生じた場合でも、ネット全体の形状を整えることができる。
【００２１】
上記目的を達成するため、本発明のかつらの製造方法は、装着者の頭部に装着されるかつらベースと、前記かつらベースに植毛される人工毛又は人毛からなる毛髪とを備えたかつらの製造方法であって、前記かつらベースは、人工又は天然素材からなる糸状部材を交差状又は略平行に配したネットを含み、前記ネットの糸状部材に結び目を作って前記毛髪を保持するようにしてある。
【００２２】
上記方法によれば、毛髪が結び目を作らずに、ネットの糸状部材が結び目を作って毛髪を保持するので、毛髪の根元を自然な外観にすることができる。特に、ネットが肌色などの明色である場合は、糸状部材の結び目が目立たず、１つの毛穴から２本の毛髪が生えているような自然な外観となる。
【００２３】
また、ネットの糸状部材が結び目を作って毛髪を保持するので、植毛した毛髪が糸状部材に沿って動いてしまうことがない。さらに、糸状部材の結び目が、毛髪の根元を立ち上がらせ、毛髪に自然なボリューム感を与えることができる。
【００２４】
好ましくは、前記毛髪を略Ｖ字ないし略Ｕ字に曲げ、２つの自由端の反対側に略環状の曲げ部を形成する工程と、前記毛髪の曲げ部を、前記ネットの一の網目に挿通し、一の糸状部材の下側を通して、隣り合う他の網目から引き出す工程と、他の網目から引き出した前記毛髪の曲げ部に、該毛髪の２つの自由端側を通して、前記ネットの一の糸状部材に前記毛髪を巻き付ける工程と、前記曲げ部に通した前記毛髪の２つの自由端側を互いに反対方向に引っ張り、前記曲げ部を消失させることで、前記ネットの一の糸状部材に結び目を作り、前記毛髪を保持する工程と、を含むようにするとよい。
【００２５】
上記方法によれば、ネットの糸状部材により、略環状の曲げ部と、前記毛髪に巻き付き、前記曲げ部を通って互いに反対方向に延びる２つの保持部とからなる結び目を作ることができる。このような結び目により、毛髪をしっかりと保持して、毛髪の根元を自然な外観にすることが可能となる。また、上記方法の実施には、従来の植毛方法と比較して特別な技術や熟練は不要であり、従来の植毛方法を経験した者であれば、容易に実施することが可能である。
【００２６】
好ましくは、前記ネットの一の糸状部材に結び目を作って前記毛髪を保持した後、前記結び目を接着剤で固定する工程を含むようにするとよい。このような方法によれば、ネットの糸状部材に結び目を作って保持した毛髪を、接着剤でより強固に固定することができ、植毛した毛髪の脱落を防止することが可能となる。
【００２７】
好ましくは、前記ネットの一の糸状部材に結び目を作って前記毛髪を保持した後、前記ネットの形状を整形剤で整える工程を含むようにするとよい。このような方法によれば、糸状部材が結び目を作ることによって、ネットに縮みが生じた場合でも、ネット全体の形状を整えることができる。
【発明の効果】
【００２８】
本発明のかつら及びかつらの製造方法によれば、毛髪に結び目を作ることなくネットに植毛することができ、植毛した毛髪の根元を自然な外観にすることが可能となる。また、ネットの糸状部材が結び目を作って毛髪を保持するので、植毛した毛髪が糸状部材に沿って動いてしまうことがない。さらに、糸状部材の結び目が、毛髪の根元を立ち上がらせ、毛髪に自然なボリューム感を与えることができる。
【００２９】
これに加え、本発明のかつらの製造方法の実施には、従来の植毛方法と比較して特別な技術や熟練は不要であり、従来の植毛方法を経験した者であれば、容易に実施することが可能である。
【図面の簡単な説明】
【００３０】
【図１】本発明の一実施形態に係るかつらの背面図である。
【図２】上記かつらの植毛構造を示すものであり、同図（ａ）は平面視の拡大図、同図（ｂ）は背面視の拡大図である。
【図３】同図（ａ）〜（ｈ）は、本発明の一実施形態に係るかつらの製造方法を示す一連の工程図である。
【図４】同図（ａ）〜（ｅ）は、上記かつらの製造方法における毛髪とネットの結着原理を示す説明図である。
【図５】上記ネットの結び目を示すものであり、同図（ａ）は図４（ｅ）の矢視Ａから見た概略図、同図（ｂ）は図４（ｅ）の矢視ｂから見た概略図である。
【図６】同図（ａ）〜（ｅ）は、糸状部材がマルチフィラメントの場合の本発明の適用例を示す概略図である。
【図７】同図（ａ）〜（ｄ）は、本発明のかつらの製造方法の実施例を示す各工程のうちの前半の拡大写真である。
【図８】同図（ａ）〜（ｄ）は、本発明のかつらの製造方法の実施例を示す各工程のうちの後半の拡大写真である。
【図９】同図（ａ）は本発明の方法で製造したかつらの実施例、同図（ｂ）はハーフシングルノット植毛で製造したかつらの比較例を示す拡大写真である。
【図１０】従来の植毛方法を説明するための概略図であり、同図（ａ）はＶ植毛、同図（ｂ）はシングルノット植毛、同図（ｃ）はハーフシングルノット植毛、同図（ｄ）は引き抜き植毛を示す。
【発明を実施するための形態】
【００３１】
以下、本実施形態に係るかつら及びかつらの製造方法について、図面を参照しつつ説明する。
【００３２】
＜かつらの全体構成＞
図１において、本実施形態のかつら１は、主として、ネット１０からなるかつらベース２に、人工毛又は人毛である毛髪３を結着し、表面側に引き出した構成となっている。かつらベース２の裏面には、生え際に対応する箇所に人工皮膚２０Ａが配設してあり、分け目及びつむじに対応する箇所に人工皮膚２０Ｂが配設してある。
【００３３】
＜ネット＞
本実施形態のかつらベース２は、装着者の頭部に合わせた椀状のネット１０で構成してある。図２（ａ）及び（ｂ）に示すように、ネット１０は、人工又は天然素材からなる糸状部材１１、１１、１１…を格子状に交差させた構成となっている。ネット１０を構成する糸状部材１１の素材としては、成型性及び耐熱性等に優れたナイロン、ポリエステル、アクリルなどの合成繊維が好ましい。但し、綿、麻、絹等の天然繊維からなる糸状部材１１を用いてネット１０を構成してもよい。
【００３４】
糸状部材１１は、１本のフィラメント（線状の構造体）からなるものであってもよいし、複数本の糸状部材１１、１１、１１…を撚ったマルチフィラメントからなるものであってもよい（図６（ａ）を参照）。また、本実施形態では、ネット１０を、糸状部材１１、１１、１１…を格子状に交差させた構成としたが、これに限定されるものではない。例えば、複数本のマルチフィラメントを縦又は横方向に略平行に配したネットを用いることもできる。本発明のかつら及びかつらの製造方法のマルチフィラメントへの適用については、後に図６（ａ）〜（ｃ）を参照しつつ詳述する。
【００３５】
ここで、図２（ａ）及び（ｂ）に示すように、本実施形態のかつら１は、糸状部材１１に結び目１２を作って、毛髪３を保持した構成となっている。後に詳述するが、本実施形態では、糸状部材１１に巻き付けた毛髪３を引っ張ることで（図３（ｇ）を参照）、該毛髪３の巻き付きを解きつつ、この過程で毛髪３に誘導された糸状部材１１が、毛髪３に巻き付いて結び目１２を形成するようになっている。このため、糸状部材１１は、毛髪３よりも柔軟な素材であることが好ましく、例えば、糸状部材１１の直径を、毛髪３の直径よりも小さくすることが好ましい。
【００３６】
糸状部材１１の色は、これに植毛する毛髪３の色と近似した黒色、茶色又は白色などにするとよい。本実施形態のかつら１は、ネット１０を構成する糸状部材１１が結び目１２を作って毛髪３を保持する構成となっているので、糸状部材１１を毛髪３と近似した色にすることで、糸状部材１１の結び目１２がより目立たなくなる効果がある。また、ネット１０を構成する糸状部材１１のうち、少なくとも人工皮膚２０Ａ、２０Ｂに対応する箇所の色を肌色にしてもよい。
【００３７】
＜人工皮膚＞
人工皮膚２０Ａ、２０Ｂは、例えば、ポリウレタンやシリコーン等の合成樹脂からなる肌色のフィルム又はシート、若しくはナイロン、ポリエステル、アクリル等の合成繊維、綿、麻、絹等の天然繊維からなる目の細かい肌色の織布（メッシュ又はネットを含む）により構成してある。
【００３８】
各人工皮膚２０Ａ、２０Ｂは、その周縁部をネット１０に縫着してあり、毛髪３の生え際、分け目及びつむじの部分で地肌のように見える役割を果たす。各人工皮膚２０Ａ、２０Ｂに、合成樹脂製のフィルム又はシートを用いた場合は、人間の頭皮の質感をリアルに再現することができ、見た目がより自然となる。一方、合成繊維又は天然繊維の織布を用いた場合は、かつら１の通気性が良好となり、耐久性が向上する利点がある。
【００３９】
＜毛髪＞
毛髪３は、人工毛又は人毛のいずれを用いてもよい。人工毛の素材としては、例えば、ポリエステル、ナイロン、アクリル又は塩化ビニル系の合成繊維が用いられる。毛髪３の太さは、例えば、細い毛髪として約０．０３又は０．０４ｍｍ程度、太い毛髪として約０．０５〜０．１０ｍｍ程度のものを用いる。また、毛髪３の強度の指標としては、結んでいない直線状態のときの引っ張り強度で約０．８０Ｎ以上、結んだ状態の引っ張り強度で約０．６０Ｎ以上のものが好ましい。
【００４０】
＜毛髪の植毛構造＞
本実施形態のかつら１における毛髪３の植毛構造について、図２（ａ）及び（ｂ）を参照しつつ説明する。上述したように、本実施形態のかつら１は、ネット１０の糸状部材１１に結び目１２を作って毛髪３を保持した構成となっている。糸状部材１１の結び目１２は、略環状の曲げ部１２ａと、毛髪３に巻き付き、曲げ部１２ａを通って互いに反対方向に延びる２つの保持部１２ｂ、１２ｃとからなっている。
【００４１】
このような植毛構造によれば、毛髪３が結び目を作らずに、ネット１０の糸状部材１１が結び目１２を作って毛髪を保持するので、毛髪３の根元を自然な外観にすることができる。特に、ネット１０が肌色などの明色である場合は、糸状部材１１の結び目１２が目立たず、１つの毛穴から２本の毛髪３が生えているような自然な外観となる。
【００４２】
また、ネット１０の糸状部材１１が結び目１２を作って毛髪３を保持するので、植毛した毛髪３が糸状部材１１に沿って動いてしまうことがない。さらに、糸状部材１１の結び目１２が、毛髪３の根元を立ち上がらせ、毛髪に自然なボリューム感を与えることができる。
【００４３】
＜かつらの製造方法＞
上述した図２（ａ）及び（ｂ）の毛髪の植毛構造は、図３（ａ）〜（ｈ）に示す一連の工程を経て形成される。以下、図３（ａ）〜（ｈ）を参照しつつ、本発明の一実施形態に係るかつらの製造方法について説明する。
【００４４】
まず、図３（ａ）に示すように、毛髪３を略Ｖ字ないし略Ｕ字に曲げ、２つの自由端の反対側に略環状の曲げ部３ａを形成する。次いで、同図（ｂ）及び（ｃ）に示すように、毛髪３の曲げ部３ａに鉤針１００を引っ掛け、曲げ部３ａを、ネット１０の一の網目１０Ａに挿通し、一の糸状部材１１の下側を通して、隣り合う他の網目１０Ｂから引き出す。
【００４５】
引き続き、図３（ｄ）〜（ｆ）に示すように、鉤針１００を用いて、他の網目１０Ｂから引き出した毛髪３の曲げ部３ａに、該毛髪３の２つの自由端側３ｂ、３ｃを通し、ネット１０の一の糸状部材１１に毛髪３を巻き付ける。
【００４６】
その後、図３（ｇ）に示すように、曲げ部３ａに通した毛髪３の各自由端側３ｂ、３ｃを互いに反対方向に引っ張る。すると、該毛髪３の曲げ部３ａが消失し、一の糸状部材１１に対する巻き付きを解く。この毛髪３の巻き付きが解ける過程で、該毛髪３に誘導された一の糸状部材１１が毛髪３に巻き付き、毛髪３の巻き付きが解けたときに、同図（ｈ）に示す結び目１２を形成する。
【００４７】
図３（ｈ）に示す糸状部材１１の結び目１２は、略環状の曲げ部１２ａと、毛髪３に巻き付き、曲げ部１２ａを通って互いに反対方向に延びる２つの保持部１２ｂ、１２ｃとからなっている。このような結び目１２により、略Ｖ字ないし略Ｕ字に曲げた毛髪３の根元が保持される。
【００４８】
＜毛髪とネットの結着原理＞
ここで、上記かつらの製造方法における毛髪３とネット１０との結着原理について、図４（ａ）〜（ｅ）、図５（ａ）及び（ｂ）を参照しつつ詳述する。
【００４９】
図４（ａ）は、上述した図３（ｆ）と（ｇ）との間の状態を示している。一の糸状部材１１を介して、毛髪３の曲げ部３ａにその２つの自由端側３ｂ、３ｃを通すと、図４（ａ）に示す状態になる。
【００５０】
次いで、図４（ｂ）に示すように、曲げ部３ａに通した毛髪３の各自由端側３ｂ、３ｃのうち、一方を他方の反対側に位置させ、同図（ｃ）に示すように、毛髪３の各自由端側３ｂ、３ｃを互いに反対方向に引っ張る。すると、一方の自由端側３ｂを引っ張ることで、曲げ部３ａが徐々に小さくなり、かつ、他方の自由端側３ｃを引っ張ることで、糸状部材１１がその引っ張り方向に誘導され、曲げ部１２ａを形成する。
【００５１】
引き続き、図４（ｄ）に示すように、毛髪３の各自由端側３ｂ、３ｃを互いに反対方向に引っ張ると、各自由端側３ｂ、３ｃが糸状部材１１を反転させ、曲げ部１２ａを通って互いに反対方向に延びる２つの保持部１２ｂ、１２ｃを形成する。その後、毛髪３の曲げ部３ａが消失し、糸状部材１１に、同図（ｅ）に示すような結び目１２ができる。このような結び目１２は、図５（ａ）及び（ｂ）に示すように、略Ｖ字ないし略Ｕ字に曲げた毛髪３の根元を保持し、毛髪３の各自由端側３ｂ、３ｃの根元を立ち上がらせ、毛髪３に自然なボリューム感を与える。
【００５２】
＜マルチフィラメントへの適用＞
本発明のかつら及びかつらの製造方法は、上述した１本のフィラメントからなる糸状部材１１への適用に限定されるものではない。図６（ａ）に示すように、本発明のかつら及びかつらの製造方法は、複数本の糸状部材１１、１１、１１…を撚ったマルチフィラメント４に適用することも可能である。
【００５３】
図１に示すかつらベース２のネット１０が、図６（ａ）に示すようなマルチフィラメント４、４、４…を格子状に交差させた構成である場合は、太いマルチフィラメント４に細い毛髪３を巻き付けて結び目１２を作ることが困難である。このような場合は、同図（ｂ）に示すように、マルチフィラメント４を形成する１本の糸状部材１１に、上述した図３及び図４の方法を適用すればよい。
【００５４】
すなわち、図６（ｂ）に示すように、マルチフィラメント４を形成する複数本の糸状部材１１、１１、１１…のうちの１本を鉤針１００（図３を参照）ですくい、糸状部材１１と１１との間に隙間を空ける。この隙間に、略Ｖ字ないし略Ｕ字に曲げた毛髪３の曲げ部３ａを挿通し、一の糸状部材１１を介して、曲げ部３ａに毛髪３の各自由端側３ｂ、３ｃを通す。その後、毛髪３の各自由端側３ｂ、３ｃを互いに反対方向に引っ張ることで、図６（ｃ）に示すような結び目１２を作って、毛髪３を保持することができる。
【００５５】
＜毛髪の脱落防止、ネットの整形＞
好ましくは、ネット１０の糸状部材１１の結び目１２を接着剤で固定するとよい。これにより、糸状部材１１に結び目１２を作って保持した毛髪３を、接着剤でより強固に固定することができ、植毛した毛髪３の脱落を防止することが可能となる。
【００５６】
また、好ましくは、毛髪３を保持したネット１０の形状を整形剤で整えるとよい。これにより、糸状部材１１が結び目１２を作ることによって、ネット１０に縮みが生じた場合でも、ネット１０全体の形状を整えることができる。
【実施例】
【００５７】
本発明のかつらの製造方法の実施例を、図７（ａ）〜（ｄ）及び図８（ａ）〜（ｄ）に示す。これらの図面は、本実施例に係るかつらの製造方法の一連の工程を示す拡大写真である。
【００５８】
上述した図３（ａ）〜（ｈ）に示すかつらの製造方法を実際に行った。本実施例では、直径０．０４ｍｍのナイロン糸状部材を格子状に交差させたネットに、直径０．０７ｍｍのポリエステルからなる毛髪を、本発明のかつらの製造方法に従って植毛した。
【００５９】
図７（ａ）〜（ｃ）は、略Ｖ字ないし略Ｕ字に曲げた毛髪の曲げ部を、ネットの一の網目に挿通し、一の糸状部材の下側を通して、隣り合う他の網目から引き出す工程であり、図３（ａ）〜（ｃ）に対応している。
【００６０】
これに続く、図７（ｄ）及び図８（ａ）、（ｂ）は、他の網目から引き出した毛髪の曲げ部に、該毛髪の２つの自由端側を通して、ネットの糸状部材に毛髪を巻き付ける工程であり、図３（ｄ）〜（ｆ）に対応している。
【００６１】
最後に、図８（ｃ）及び（ｄ）は、曲げ部に通した毛髪の２つの自由端側を互いに反対方向に引っ張り、曲げ部を消失させることで、ネットの一の糸状部材に結び目を作り、毛髪を保持する工程であり、図３（ｇ）及び（ｈ）に対応している。
【００６２】
図９（ａ）は、上述した本実施例の方法を経て製造したかつらの拡大写真である。また、同図（ｂ）は、ハーフシングルノット植毛で製造したかつらの比較例を示す拡大写真である。同図（ａ）に示す本実施例のかつらは、毛髪が結び目を作らずに、ネットの糸状部材が結び目を作って毛髪を保持している。肌色の糸状部材の結び目は、ほとんど目立たず、１つの毛穴から２本の毛髪が生えているような自然な外観を呈している。一方、同図（ｂ）に示す比較例のかつらは、略Ｖ字ないし略Ｕ字に曲げた毛髪の一方に、結び目の黒い塊が形成されている。この結び目の黒い塊が肌色のネット上で目立ってしまい、不自然な外観となっている。
【符号の説明】
【００６３】
１  かつら
２  かつらベース
３  毛髪
３ａ  曲げ部
３ｂ、３ｃ  自由端側
４  マルチフィラメント
１０  ネット
１０Ａ、１０Ｂ  網目
１１  糸状部材
１２  結び目
１２ａ  曲げ部
１２ｂ、１２ｃ  保持部
２０Ａ、２０Ｂ  人工皮膚
１００  鉤針
【図１】
2014077208.tif 000003
【図２】
2014077208.tif 000004
【図３】
2014077208.tif 000005
【図４】
2014077208.tif 000006
【図５】
2014077208.tif 000007
【図６】
2014077208.tif 000008
【図７】
2014077208.tif 000009
【図８】
2014077208.tif 000010
【図９】
2014077208.tif 000011
【図１０】
2014077208.tif 000012